【事件の表示】
　特許第２９４９８２６号「レーザスキャナ装置」の請求項２に係る特許に対する特許異議の申立てについて、次のとおり決定する。
【結　論】
　訂正を認める。
　特許第２９４９８２６号の請求項２に係る特許を維持する。
【理　由】
１．手続の経緯
　特許第２９４９８２６号の発明は、平成２年１０月２３日に特許出願され、平成１１年７月９日にその特許の設定の登録がなされ、その後、コニカ株式会社により特許異議の申立がなされ、取消理由通知がなされ、その指定期間内の平成１２年８月１１日付けで訂正請求がなされたものである。
２．訂正の適否についての判断
（１）訂正の内容
　特許明細書の特許請求の範囲の請求項２を
「ケースのレーザ光出口部にレーザ光の走査方向に向けて細長く形成された開口部と、この開口部に配設された細長い光学部材とを備えたレーザスキャナ装置において、前記光学部材に接触するように設けられ、前記開口部のレーザ光走査方向に沿った幅よりも小さな幅のクリーニング部材と、前記クリーニング部材が上面に固着され、クリーニング部材の前記幅と略同幅に形成された保持部材を有し、前記クリーニング部材が固着された保持部材を前記光学部材に沿って前記開口部の一端側から他端側までスライド可能に案内する案内手段とを備えたことを特徴とするレーザスキャナ装置。」
と訂正し、発明の詳細な説明をこれにあわせて訂正するものである。
（２）訂正の目的の適否、新規事項の有無及び拡張・変更の存否
　特許請求の範囲の訂正は、請求項２のクリーニング部材に関する構成を願書に添付した明細書第１７頁１０行乃至第１８頁５行（特許公報第７欄１１乃至２３行）の記載及び第６図に基づいて、さらに具体的に限定するものであるから、特許請求の範囲の減縮に該当する。又、発明の詳細な説明の訂正は、特許請求の範囲の訂正に伴い、これとの整合性を図るためのものであるから、明りょうでない記載の釈明に該当する。そして、これらの訂正は、いずれも願書に添付した明細書に記載された事項の範囲内のものであり、実質的に特許請求の範囲を拡張又は変更するものではない。　
（３）訂正の適否についてのむすび
　以上のとおり、本件訂正は、特許法第１２０条の４第２項、同条第３項で準用する同法第１２６条第２項及び３項の規定に適合するので、当該訂正を認める。
３．特許異議申立てについての判断
（１）特許異議申立人の主張の概要
　特許異議申立人は、甲第１号証を提出し、請求項２に係る発明は、甲第１号証に記載された考案であるから特許法第２９条第１項第３号に掲げる発明に該当し、特許を受けることができないものであり、請求項２に係る発明の特許は、特許法第１１３条第１項第２号により取り消されるべきものである旨主張している。
（２）本件発明
　本件の請求項２に係る発明は、訂正明細書の記載からみて、その特許請求の範囲の請求項２に記載されたとおりのものと認める。
（３）甲第１号証記載の発明
　特許異議申立人が提出した、本件出願前頒布された刊行物である甲第１号証：実願昭６１−１２２７７７号（実開昭６３−２９１６６号）のマイクロフィルムには、
「レーザ光を絞る集光レンズと、それを保持するレンズホルダを含み、一様帯電した感光ドラムに静電潜像を形成させるレーザビーム型プリンタの光学装置において、上記集光レンズを清掃する為の清掃体とそれを保持するホルダから成る清掃用具を、上記レンズホルダにガイドを設けて、摺動可能にして具設したことを特徴とする光学装置の清掃装置。」（実用新案登録請求の範囲）
「本考案は、プリンタ機外からの操作により容易に集光レンズの清掃が可能な様に、清掃用具を光学装置に摺動可能にして具設したものである。・・・本考案からなる清掃用具９を具設した光学装置３の詳細を第１図、第２図に示す。清掃用具９は、ガーゼやフェルト等の軟かい材質の清掃体１０と、それを保持するホルダ１１から成り、レンズホルダ５に固定されたガイド１２に沿って動く。印刷時又は非清掃時、清掃用具９はレンズホルダ５の反オペ側端に設置されたマグネットキャッチの様な固定具１３によって保持されている。その状態で、レーザ光を通過させる為に、ホルダ１１の中央部には長穴１４が設けられている。一方清掃時には、清掃用具９をオペ側に引くことによって、集光レンズ４は清掃体１０により清掃される。」（３頁３〜１９行）と記載されている。又、第１図及び第２図には、オペ側に屈曲する端部を有し、集光レンズ４の長手方向の幅よりやや長い幅のホルダ１１と、該ホルダ１１の前記屈曲する端部と反対側の端部上面に固着された前記ホルダの幅より小さな幅の清掃体１０とから成る清掃用具９が図示されている。
　上記によれば、甲第１号証には、
「集光レンズと、それを保持するレンズホルダを含むレーザビーム型プリンタの光学装置において、オペ側に屈曲する端部を有し、前記集光レンズの長手方向の幅よりやや長い幅のホルダと、該ホルダの前記屈曲する端部と反対側の端部上面に固着された前記ホルダの幅より小さな幅の清掃体とから成る清掃用具を、上記レンズホルダにガイドを設けて、プリンタ機外からの操作により摺動可能にしたレーザビーム型プリンタの光学装置。」の発明が記載されている。
（４）対比、判断
　本件の請求項２に係る発明（以下、「本件発明」という）と、甲第１号証記載の発明（以下、「引用発明」という）とを対比する。
　引用発明の「集光レンズ」、「清掃体」、「ホルダ」は、本件発明の「細長い光学部材」、「クリーニング部材」、「保持部材」に相当し、両者は、
「ケースのレーザ光出口部にレーザ光の走査方向に向けて細長く形成された開口部と、この開口部に配設された細長い光学部材とを備えたレーザスキャナ装置において、前記光学部材に接触するように設けられ、前記開口部のレーザ光走査方向に沿った幅よりも小さな幅のクリーニング部材と、前記クリーニング部材が上面に固着された保持部材を有し、前記クリーニング部材が固着された保持部材を前記光学部材に沿ってスライド可能に案内する案内手段とを備えたレーザスキャナ装置。」 で一致するが、引用発明には、「クリーニング部材の幅と略同幅に形成された保持部材を有し、前記クリーニング部材が固着された保持部材を前記光学部材に沿って前記開口部の一端側から他端側までスライド可能に案内する」点（以下「相違点」という）は、なにも記載されておらず、示唆されてもいない。
  そして、引用発明は、プリンタ機外からの操作により容易に集光レンズの清掃が可能な様にしたものであり、清掃する際に、清掃用具をオペ側に引くと、ホルダ１１がその幅と同程度オペ側（プリンタ機外）に突出するものと認められる。
　これに対し、本件発明は、上記相違点の構成を有することによって、保持部材は開口部の一端側から他端側までスライドするのみで、スライド方向外側に突出することはないから、スライド方向に操作空間を必要とせず、装置の設置場所が制約されないという格別の効果を奏することは明らかである。
　したがって、本件発明は、甲第１号証に記載された発明であるとも、甲第１号証に記載された発明に基づいて当業者が容易に発明をすることができたものともすることができない。
４．むすび
　以上のとおりであるから、異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１２年８月２９日（２０００．８．２９）
【訂正の要旨】
訂正の要旨
　▲１▼　訂正事項ａ
　特許請求の範囲の減縮、及び明りょうでない記載の釈明を目的として、特許請求の範囲の請求項２の記載を以下の通り訂正する。
「ケースのレーザ光出口部にレーザ光の走査方向に向けて細長く形成された開口部と、この開口部に配設された細長い光学部材とを備えたレーザスキャナ装置において、　前記光学部材に接触するように設けられ
、前記開口部のレーザ光走査方向に沿った幅よりも小さな幅の
　
前記クリーニング部材が上面に固着され、クリーニング部材の前記幅と略同幅に形成された保持部材を有し、
が固着された保持部材を
　▲２▼訂正事項ｂ
　明りょうでない記載の釈明を目的として、願書に最初に添付した明細書の第４頁第１０行乃至第９頁第６行に「本発明の目的は、レンズ…簡単化できる。」とある記載のうち、［課題を解決するための手段］の記載を、上記特許請求の範囲の訂正（訂正事項ａ）に伴い、以下の通り訂正する。尚、第１請求項に係るレーザスキャナ装置に関する記載については訂正なし。
　「［課題を解決するための手段］
　第１請求項に係るレーザスキャナ装置は、ケースのレーザ光出口部にレーザ光の走査方向に向けて細長く形成された開口部と、この開口部に配設された細長い光学部材とを備えたレーザスキャナ装置において、前記光学部材をその一端側へ引き抜くことができるように前記光学部材をその長さ方向にスライド自在に支持する支持手段と、前記開口部の前記一端側において前記光学部材に接触するように設けられたクリーニング部材とを備えたものである。
　第２請求項に係るレーザスキャナ装置は、ケースのレーザ光出口部にレーザ光の走査方向に向けて細長く形成された開口部と、この開口部に配設された細長い光学部材とを備えたレーザスキャナ装置において、前記光学部材に接触するように設けられ
、前記開口部のレーザ光走査方向に沿った幅よりも小さな幅の
前記クリーニング部材が上面に固着され、クリーニング部材の前記幅と略同幅に形成された保持部材を有し、
が固着された保持部材を
　▲３▼訂正事項ｃ
　明りょうでない記載の釈明を目的として、願書に最初に添付した明細書の第４頁第１０行乃至第９頁第６行に「本発明の目的は、レンズ…簡単化できる。」とある記載のうち、［発明の効果］の記載を、上記特許請求の範囲の訂正（訂正事項ａ）に伴い、以下の通り訂正する。尚、第１請求項に係るレーザスキャナ装置に関する記載については訂正なし。
「［発明の効果］
　第１請求項に係るレーザスキャナ装置によれば、支持手段を介して光学部材をスライドさせるだけで、光学部材に付着したトナーや塵埃等を確実に除去することができるので、光学部材のクリーニング作業を著しく簡単化できる。
　第２請求項に係るレーザスキャナ装置によれば、案内手段を介してクリーニング部材
が固着された保持部材を
（５４）【発明の名称】
レーザスキャナ装置のレンズクリーニング装置
（５７）【特許請求の範囲】
（１）ケースのレーザ光出口部にレーザ光の走査方向に向けて細長く形成された開口部と、この開口部に配設された細長い光学部材とを備えたレーザスキャナ装置において、
前記光学部材をその一端側へ引き抜くことができるように前記光学部材をその長さ方向にスライド自在に支持する支持手段と、
前記開口部の前記一端側において前記光学部材に接触するように設けられたクリーニング部材とを備えたことを特徴とするレーザスキャナ装置。
（２）ケースのレーザ光出口部にレーザ光の走査方向に向けて細長く形成された開口部と、この開口部に配設された細長い光学部材とを備えたレーザスキャナ装置において、
　前記光学部材に接触するように設けられ
、前記開口部のレーザ光走査方向に沿った幅よりも小さな幅の
　
前記クリーニング部材が上面に固着され、クリーニング部材の前記幅と略同幅に形成された保持部材を有し、
が固着された保持部材を
【発明の詳細な説明】
〔産業上の利用分野〕
　本発明はレーザスキャナ装置に関し、特にレーザスキャナ装置のレーザ光出口部の開口部に配設された光学部材の汚れを除去できるレーザスキャナ装置に関する。
〔従来技術〕
　一般に、レーザプリンタのレーザスキャナ装置には、例えば特開昭６４−８２００９号公報に記載されているように、そのケースのレーザ光出口部にレーザ光の走査方向に向けて開口部が細長く形成され、その開口部にはレーザ光が透過するレンズ部材が配設され、開口部の下方にはレンズ部材を透過したレーザ光を受けて静電潜像を形成する感光ドラムが配設されている。通常、レンズ部材は、レーザ光の走査方向のばらつきに対する補正効果を高めるため、感光ドラムに近接して取付けられている。
〔発明が解決しようとする課題〕
　前記従来のレーザスキャナ装置においては、感光ドラムに形成された静電潜像を現像シリンダから供給されるトナーで現像するときなどに、飛散したトナーなどが開口部を介してレンズ部材の下面に付着し、レーザプリンタを長期間に亙って使用しているとレンズ部材の下面にトナーが蓄積され、プリンタの画像品質が低下するという問題がある。
　そこで、プリンタケーシングを開放して、ユーザやサービスマンが柔らかい布などで開口部からレンズ部材の下面をクリーニングしなければならないが、レンズ部材が配設される開口部の開口面積は小さいうえ、レンズ部材を傷つけたり或いはレンズ部材に大きな力を加えてレンズ部材の取付位置がずれたりしないようにしてクリーニングしなければならず、クリーニング作業が非常に面倒であり、完全にトナー等を除去することが出来なかった。
　本発明の目的は、レンズ部材などの光学部材を簡単に且つ確実にクリーニングできるレーザスキャナ装置を提供することである。
［課題を解決するための手段］
　第１請求項に係るレーザスキャナ装置は、ケースのレーザ光出口部にレーザ光の走査方向に向けて細長く形成された開口部と、この開口部に配設された細長い光学部材とを備えたレーザスキャナ装置において、前記光学部材をその一端側へ引き抜くことができるように前記光学部材をその長さ方向にスライド自在に支持する支持手段と、前記開口部の前記一端側において前記光学部材に接触するように設けられたクリーニング部材とを備えたものである。
　第２請求項に係るレーザスキャナ装置は、ケースのレーザ光出口部にレーザ光の走査方向に向けて細長く形成された開口部と、この開口部に配設された細長い光学部材とを備えたレーザスキャナ装置において、前記光学部材に接触するように設けられ
、前記開口部のレーザ光走査方向に沿った幅よりも小さな幅の
前記クリーニング部材が上面に固着され、クリーニング部材の前記幅と略同幅に形成された保持部材を有し、
が固着された保持部材を
［作用］
　第１請求項に係るレーザスキャナ装置においては、支持手段により支持された光学部材をその一端側へ引き抜くことができると共に、開口部の一端側に光学部材に接触するクリーニング部材が設けられているため、光学部材をその一端側へ引き抜くと、光学部材がクリーニング部材と摺接し、光学部材に付着していたトナーや塵埃等がクリーニング部材により除去される。さらに、引き抜いた光学部材をその他端側へ押し込んで装着する際にも、光学部材がクリーニング部材と摺接して光学部材のクリーニングがなされる。
　第２請求項に係るレーザスキャナ装置においては、光学部材に接触するように設けられたクリーニング部材が、案内手段により光学部材に沿って案内されるため、クリーニング部材を光学部材に沿って一端側から他端側までスライドさせることにより、光学部材に付着していたトナーや塵埃等が除去される。
［発明の効果］
　第１請求項に係るレーザスキャナ装置によれば、支持手段を介して光学部材をスライドさせるだけで、光学部材に付着したトナーや塵埃等を確実に除去することができるので、光学部材のクリーニング作業を著しく簡単化できる。
　第２請求項に係るレーザスキャナ装置によれば、案内手段を介してクリーニング部材
が固着された保持部材を
〔実施例〕
　以下、本発明の実施例について図面に基いて説明する。
　本実施例は、電子写真方式のレーザプリンタのレーザスキャナ装置のレンズクリーニング装置に本発明を適用したものである。
　先ず、レーザプリンタについて簡単に説明する。
　第１図に示すように、レーザプリンタ１は、上部ケーシング２と下部ケーシング３からなるプリンタケーシング４と、上部ケーシング２に設けられたレーザスキャナ装置５と、下部ケーシング４に着脱自在に設けられたプロセスカートリッジ６と、転写帯電器７と除電針８などを備えた転写・分離装置９と、加熱ローラ１０と加圧ローラ１１などを備えた定着装置１２と、給紙ローラ１３、レジストローラ１４、搬送ローラ１５及び排紙ローラ１６などを備えた搬送装置１７と、レンズクリーニング装置１８などで構成されている。
　プリンタケーシング４の上部ケーシング２はヒンジ１９を介して第１図に示す閉位置と第２図に示す開位置とに開閉可能になっており、上部ケーシング２の右側壁２ａの下端の下部ケーシング３との合せ部のうち、前後方向の途中部には下端から切欠いた操作開口部２０が形成され、操作開口部２０に対応する下部ケーシング３の右側壁には、上部ケーシング２が閉位置に位置したときに操作開口部２０に係合するように上方に凸状に形成されている。
　レーザスキャナ装置５は、上部ケーシング２に一体に形成されたケース２１と、ケース２１内に配設された半導体レーザ２２、６面体ミラー２３、結像レンズ２４、反射ミラー２５及びケース２１の前端に下方に突出状に形成されたレーザ光出口部２６に配設された合成樹脂製のレンズ部材２７などで構成されている。
　プロセスカートリッジ６は下部ケーシング３に着脱自在に配設され、その内部には、感光ドラム２８、１次帯電器２９、現像シリンダ３０、及び露光ランプ３１などの消耗部品が一体に組立てられており、レーザプリンタ１の定期的なメインテナンス時などに、プロセスカートリッジ６を新しいプロセスカートリッジ６に交換することにより、感光ドラム２８などの消耗部品を一括して交換するようになっている。尚、符号３２・３３・３４は、夫々給紙カセット、記録紙及び排紙トレーである。
　次に、レーザプリンタ１の作動について簡単に説明する。
　レーザドライバ（図示略）で発光制御されて半導体レーザ２２から出射し６面体ミラー２３に入射したレーザ光３５は、一定の高速度で回転する６面体ミラー２３のミラー面毎に所定角度偏向されることにより所定角度範囲に亙って主走査され、次に結像レンズ２４を経て反射ミラー２５で鉛直下方に反射され、次にレーザ光３５の走査方向に細長いレンズ部材２７とレーザ光出口部２６の底壁３６（第３図・第４図参照）にレーザ光３５の走査方向に向けて細長く形成された開口部３７（第３図・第４図参照）を経て感光ドラム２８に入射する。
　感光ドラム２８に入射したレーザ光３５は、一定速度で回転する感光ドラム２８により副走査されて感光ドラム２８の周面上に静電潜像を形成する。尚、レーザ光３５の主走査方向は、６面体ミラー２３の面精度のばらつきによりばらつきを生じるが、レンズ部材２７を透過する際、レンズ部２７により走査方向のばらつきが補正されるようになっており、ケース２１に下方に突出状にレーザ光出口部２６を形成し、レンズ部材２７をレーザ光出口部２６に設けて感光ドラム２８の近くに配設することにより、レンズ部材２７で補正するようになっている。
　感光ドラム２８に形成された静電潜像は、現像シリンダ３０から供給されるトナーにより現像され、この可視像は、感光ドラム２８の回転と同期して搬送される記録紙３３に転写帯電器７により正電荷を帯電させて、感光ドラム２８上のトナーを記録紙３３上に移動させて付着させることにより転写され、その後記録紙３３は除電針８により感光ドラム２８から分離されて定着装置１２に搬送される。
　定着装置１２において、加熱ローラ１０と加圧ローラ１１によりトナーは記録紙３３に溶着して定着され、その後搬送ローラ１５及び排紙ローラ１６を介して排紙トレー３４上に搬送されるようになっている。
　次に、前記レンズクリーニング装置１８について説明する。
　レンズクリーニング装置１８は、レンズ部材２７をその長さ方向にスライド自在に支持するとともに、レーザプリンタ１の作動時に飛散してレンズ部材２７の下面２７ａに付着したトナー及び塵埃を除去するためのもので、レンズ部材２７をその長さ方向にスライド自在に支持するスライド支持機構４０とレンズ部材２７の下面２７ａをクリーニングするクリーニング部材４１とで構成されている。
　スライド支持機構４０について説明すると、第３図〜第５図に示すように、レーザ光出口部２６の底壁３６のうち開口部３７の前側と後側の開口縁壁部３６ａ・３６ｂには、夫々ケース２１の右側壁３８側から左側壁３９側に亙って立壁４２が形成され、各立壁４２の内端面の中段部には左右方向向きに案内溝４２ａが形成されている。
　一方、レンズ部材２７の前端部と後端部には夫々案内溝４２ａに係合可能な被ガイド部４３が左右方向向きに形成され、レンズ部材２７の右端部には、レーザ光出口部２６の底壁３６のうち開口部３７の右側の開口縁壁部３６ｃに形成された係合穴４４に係合可能な係合部４５が形成され、レンズ部材２７の左端部にはＬ字型の把持部４６が形成されている。
　レンズ部材２７は、その前後の被ガイド部４３を夫々前後の案内溝４２ａに係合させ、レーザ光出口部２６の左側壁３９側から係合部４５が係合穴４４に係合する位置までスライドして装着され、前後の被ガイド部４３で案内溝４２ａに支持されている。このように、レンズ部材２７が案内溝４２ａに装着された状態では、把持部４６はケース２１から左方に突出しており且つ上部ケーシング２の開口部２０に対向している。
　クリーニング部材４１は、前後方向の幅がレンズ部材２７の下面２７ａの前後方向の幅よりも幅広に形成された直方体状の合成発泡樹脂部材からなり、底壁３６のうち開口部３７の左側の開口縁壁部３６ｄに固着され、レンズ部材４１が案内溝４２ａに装着された状態では、クリーニング部材４１はレンズ部材２７の下面２７ａに接触するように開口縁壁部３６ｄとレンズ部材２７との問に挟着されている。尚、クリーニング部材４１にはシリコンオイルが含浸されている。
　このように構成されたレンズクリーニング装置１８の作用について説明する。
　レンズ部材２７の下面２７ａに付着したトナーや塵埃を除去する場合には、第２図に示すように、上部ケーシング２を開位置し、上部ケーシング２の開口部２０からレンズ部材２７の把持部４６を把持し、レンズ部材２７の係合部４５がクリーニング部材４１に当接するまで左方に引き抜く。このとき、レンズ部材２７の下面２７ａの全域がクリーニング部材４１と摺接するので、レンズ部材２７の下面２７ａに付着していたトナーや塵埃がクリーニング部材４１で除去される。次に、レンズ部材２７を係合部４５が係合穴４４ａに係合する位置まで右方にスライドさせて、レンズ部材２７を案内溝４２ａに装着する。このときも、前記同様にレンズ部材２７の下面２７ａがクリーニング部材４１によりクリーニングされる。このようにして、レンズ部材２７の下面２７ａのクリーニングが終わると上部ケーシング２を閉位置にする。
　このようにレンズ部材２７をスライド支持機構４０を介してスライドさせるだけで、レンズ部材２７の下面２７ａに付着していたトナーや塵埃などを確実に除去出来るので、レンズ部材２７の下面２７ａのクリーニング作業が著しく簡単化出来、プリンタ１の画像品質を高めることが出来る。
〔別実施例〕
　本実施例のレーザプリンタのレンズクリーニング装置は、クリーニング部材をレンズ部材の下面に沿って移動させることにより、レンズ部材の下面のクリーニングができるように構成したものである。尚、前期実施例と同様な部材には同一の符号を付して説明を省略する。
　第６図〜第８図に示すように、開口部３７の前側と後側の開口縁壁部３６ａ・３６ｂには夫々立壁５０が形成され、前後の立壁５０の内端面の下段には案内溝５０ａが左右方向向きに形成されている。尚、符号５１は、開口縁壁部３８ｄに開口部３７に連続して形成された挿通孔であり、開口縁壁部３６ｃにも同様に挿通孔５１が形成されている。
　開口縁壁部３６ｄには、前後の案内溝５０ａに係合する被ガイド部５３と左端部に挿通孔５１を挿通する把持部５４を有する保持部材５５が案内溝５０ａにスライド可能に設けられ、保持部材５５の上面にはクリーニング部材４１が固着され、クリーニング部材４１は、レンズ部材５６の下面５６ａに接触するようにレンズ部材５６と開口縁壁部３６ｄとの問に設けられている。尚、前後の立壁５０の内端面の中段部には夫々係合溝５０ｂが左右方向向きに形成され、レンズ部材５６の前端部と後端部には夫々被係合部５７が形成され、レンズ部材５６は被係合部５７を係合溝５０ｂに係合して立壁５０に固定されている。
　このように構成されたレンズクリーニング装置１８Ａの作用について説明する。
　レンズ部材５６の下面５６ａに付着したトナーや塵埃を除去する場合には、上部ケーシング２を開位置し、挿通孔５１から突出した保持部材５５の把持部５４を把持して保持部材５５を案内溝５０ａを介して左右の挿通孔５１に亙って左右方向にスライドさせると、クリーニング部材４１がレンズ部材５６の下面５６ａに摺接してトナーや塵埃を除去する。
　このようにクリーニング部材４１を案内溝５０ａを介してスライドさせるだけで、レンズ部材５６の下面５６ａに付着したトナーや塵埃などを確実に除去出来るので、レンズ部材５６の下面５６ａのクリーニング作業を著しく簡単化出来、プリンタ１の画像品質を高めることが出来る。
　尚、合成発泡樹脂部材に代えて綿や柔らかい布でクリーニング部材４１を構成することも可能であるし、シリコンオイルに限らずアルコールやエーテルなどをクリーニング部材４１に含浸させてもよい。
　更に、レンズ部材２７・５６はガラス製であってもよい。
　加えて、前記レンズクリーニング装置１８・１８Ａをレーザスキャナ装置を用いた種々の装置に適用出来ることは言うまでもない。
【図面の簡単な説明】
　図面は本発明の実施例を示すもので、第１図はレーザフリンタの断面図、第２図は上部ケーシングを開位置にした状態を示すレーザプリンタの断面図、第３図は第１図ＩＩＩ−ＩＩＩ線断面図、第４図は第３図ＩＶ矢視図、第５図は第３図Ｖ−Ｖ線断面図、第６図は別実施例に係るレンズクリーニング装置の第３図相当図、第７図は同装置の第４図相当図、第８図は同装置の第５図相当図である。
１……レーザプリンタ、５……レーザスキャナ装置、１８・１８Ａ……レンズクリーニング装置、２１……ケース、２６……レーザ光出口部、２７・５６……レンズ部材、２７ａ・５６ａ……下面、３６ｄ……開口縁壁部、３７……開口部、４０……スライド支持機構、４１……クリーニング部材、４２ａ・５０……案内溝、４３・５３……被ガイド部。